(57)【特許請求の範囲】
【請求項１】
柱状立設体に取り付けられて、蛇の登攀を防止する蛇登攀防止装置であって、
前記柱状立設体の周囲に付設されると共に、上方に向かうにつれて柱状立設体の軸心からの距離が長くなり、垂線が水平に対して下方に傾斜する円錐テーパを備えた複数の中空円筒構成部材を着脱自在に組み付けて構成された中空円筒部材を備え、
この中空円筒部材の外面の適所に蛇の登攀を妨害する蛇登攀妨害突起を備え、
前記中空円筒構成部材の内面は、前記柱状立設体の軸方向の下側半分が前記柱状立設体と同一のテーパ面に形成され、上側半分が鉛直に形成されていることを特徴とする蛇登攀防止装置。
【請求項２】
前記中空円筒構成部材は、前記中空円筒部材を前記柱状立設体の軸方向に沿って２分割したものであり、それぞれの分割面は、一方の中空円筒構成部材の分割面が他方の中空円筒構成部材の分割面と互いに噛み合う凹凸形状をなし、噛み合わせた部分がそれぞれの中空円筒構成部材の分割面を過る上下方向に延びる割りピンにより固定されていることを特徴とする請求項１記載の蛇登攀防止装置。
【請求項３】
前記中空円筒部材は、前記柱状立設体との間に水抜き穴が形成される第１の中空円筒構成部材と、前記柱状立設体との間に接地線挿通穴が形成される第２の中空円筒構成部材との中から選択された２つの中空円筒部材を組み合わせて構成されるものであることを特徴とする請求項２記載の蛇登攀防止装置。
【請求項４】
中空円筒部材の上端部において、前記中空円筒構成部材の内面と前記柱状立設体の外面との隙間に楔を嵌合させることを特徴とする請求項１乃至３のいずれかに記載の蛇登攀防止装置。
【発明の詳細な説明】
【技術分野】
【０００１】
本発明は、電柱等の柱状立設体に蛇が登攀することを防止するために有用な蛇登攀防止装置に関する。
【背景技術】
【０００２】
蛇が電柱の上部の巣中にある卵や雛等を狙って電柱をよじ登り、その際に送電線や配電線に接触すると、地絡事故が発生して電力設備や電力供給先などに膨大な損害を与える恐れがある。このため、蛇の登攀を防止する有効な装置の開発が要請されており、従来においては、様々な蛇登攀防止装置が検討されている。
【０００３】
例えば、下記する特許文献１においては、電柱の表面に蛇害防止用粘着テープを周回状に貼着し、さらに該蛇害防止用粘着テープより上方位置に碗形状に形成した登はん防止具を取り付け、蛇や野鼠等の小動物がよじ登って送配電線等に接触して惹起する事故を防止する装置が開示されている。
【０００４】
また、下記する特許文献２においては、蛇の体表を覆っている多数の腹鱗を引掛けることができないようにし、また、体をＳ字型に湾曲させて押さえ板や突起物間に体を突張らせることができないようにし、さらに腹の中央部を窪ませて吸盤として用いることができないようにするために、横断面円形でかつ表面が平滑な線材によって網状物を構成し、この網状物を構成する線材を金属製または合成樹脂製として、太さを０．５〜２．５ｍｍ、網状物のメッシュを３〜８ｍｍとして、これを電柱の回りに巻き付ける構成が開示されている。
【先行技術文献】
【特許文献】
【０００５】
【特許文献１】特開平５−２３１０４４号公報
【特許文献２】実用新案登録第３０７３５８５号公報
【発明の概要】
【発明が解決しようとする課題】
【０００６】
しかしながら、前者の構成においては、蛇害防止用粘着テープを電柱の回りに粘着させるものであるため、長時間の風雨に晒されると剥離する不都合があり、一旦剥離すると再利用できないものであった。しかも、蛇害防止用粘着テープの忌避剤は、長年月に亘り効果を維持することができないものである。
【０００７】
また、登はん防止具は碗形状に形成されているので、その構造上、台風等の突風等の影響を受けやすく、破損する恐れがあり、破損した場合にはその破片が飛散して通行人に当たり、怪我させる恐れが懸念される。
【０００８】
後者の構成においては、網状物を電柱の回りに巻き付けるものであるが、電柱には接地線等が表出しているため、電柱に密着して取り付けることは難しく、これら接地線等を覆うように取り付ける場合には、網状物の表面に凹凸が形成されてしまい、蛇が登攀できる状態を形成してしまう不都合がある。
さらに、蛇登攀防止装置は、柱状立設体への取付を簡易に行うことができる構成とすることが実用上望ましい。
【０００９】
本発明は係る事情に鑑みてなされたものであり、粘着物や忌避剤を用いずに物理的な構造のみで蛇の登攀を効果的に防止することができ、また、電柱に網状物を付設することなく蛇の登攀を防止することが可能な蛇登攀防止装置を提供することを主たる課題としている。また、柱状立設体への取付作業を簡易に行うことができるようにすることをも課題としている。
【課題を解決するための手段】
【００１０】
ところで、蛇は、一般的に、図９の別表に示されるような登攀習性を有することが知られている。
すなわち、蛇は、
（１）  柱状立設体の中心軸が重力方向に対して前方へある程度傾いていれば、昇柱することが可能である。逆に、後方へある程度傾いていれば（蛇の背が下側にくるように傾いていれば）、昇柱することができない。
（２）  電柱の上下で隣り合う昇降金具が斜めにずれて取り付けられている場合には、下側の昇降金具に身体を引っ掛けて固定し、斜め上方の昇降金具へ頭部を伸ばし、この上方の昇降金具に頭部が到達すれば、その昇降金具に頭部側の身体を引っ掛け固定し、下方側の身体を引き上げ、以後、当該運動を繰り返して電柱を登攀していく。
（３）  電柱の上下で隣り合う昇降金具が鉛直線上に取り付けられている場合には、下側の昇降金具に辿り着いた蛇は、昇降金具に身体を引っ掛けて固定し、真上方向の昇降金具に頭部を伸ばす。この際、蛇は、蛇行しながら腹鱗（腹板）を電柱表面の微細な凹凸部に引っ掛け、折れ曲がっている身体を徐々に伸ばしていき、頭部が、次の昇降金具に到達すれば、その昇降金具に身体を引っ掛けて固定し、下方側の身体を引き上げ、以後、当該運動を繰り返して電柱を登攀していく。
（４）  壁面に存在する多数の突起に，蛇の体表を覆っている多数の腹鱗（腹板）を引掛け，それを支えとして登っていく。尚、直径が０．０５〜１［ｍｍ］程度の微細な球形状のものに腹鱗（腹板）を係合させることができない。
（５）  長い胴体をＳ字型に湾曲させ，壁面の突起物の間に体を突張らせて体を支えることにより登る。
（６）  腹部の中央を窪ませて吸盤状とすることにより体を支えて登る。
【００１１】
本発明者は、このような蛇の登攀習性を把握した上で、粘着物や忌避剤を用いずに物理的な静的構造のみで蛇の登攀を効果的に防止できる登攀防止装置について鋭意研究を重ねた結果、蛇の登攀を防止するためには、前記図９の別表で示す（１）に対する対策と、（２）〜（６）のいずれかに対する対策とを併せ持つようにすれば、非常に優れた登攀防止が図れるとの知見を見出し、また、蛇登攀防止装置を、柱状立設体に分割部材を組み合わせた筒状にして取り付けることができれば、柱状立設体への設置も容易に行うことができることを見い出し、本発明を完成させるに至った。
【００１２】
すなわち、本発明に係る蛇登攀防止装置は、柱状立設体に取り付けられて、蛇の登攀を防止する装置であって、前記柱状立設体の周囲に付設されると共に、上方に向かうにつれて柱状立設体の軸心からの距離が長くなり、垂線が水平に対して下方に傾斜する円錐テーパを備えた複数の中空円筒構成部材を着脱自在に組み付けて構成された中空円筒部材を備え、この中空円筒部材の外面の適所に蛇の登攀を妨害する蛇登攀妨害突起を備えていることを特徴としている。
【００１３】
したがって、中空円筒構成部材には、上方に向かうにつれて柱状立設体の軸心からの距離が長くなり、垂線が水平に対して下方に傾斜する円錐テーパが設けられているので、前記（１）に対する対策が講じられており、また、中空円筒構成部材の外面には蛇の登攀を妨害する蛇登攀妨害突起が適所に適切な間隔で設けられているので、前記（４）および（６）に対する対策が講じられている。このため、それぞれの物理的な構造による登攀防止機能により蛇の登攀は防止され、仮に、一方の登攀防止機能が不十分であっても、他の登攀防止機能も備えているので、蛇の登攀をより確実に防止することが可能となる。また、中空円筒部材は、複数の中空円筒構成部材を着脱自在に組み付けて構成されているので、柱状立設体への取付作業を容易に行うことが可能となる。
【００１４】
また、柱状立設体が電柱等のように末広がりとなっている場合に対応するため、中空円筒構成部材の内面を、柱状立設体の軸方向の下側半分において柱状立設体と同一のテーパ面に形成し、上側半分において鉛直に形成されている。このような構成においては、取り付け作業が容易になると共に、下側半分のテーパ面が柱状立設体の側面に密着させた状態で固定されるので、ガタつきを無くし、強固に固定させることが可能となる。
【００１５】
ここで、中空円筒構成部材は、中空円筒部材を柱状立設体の軸方向に沿って２分割したものとし、それぞれの分割面を、一方の柱状立設体の分割面が他方の柱状立設体の分割面と互いに噛み合う凹凸形状とし、噛み合わせた部分がそれぞれの中空円筒構成部材の分割面を過る上下方向に延びる割りピンにより固定されるようにしてもよい。
【００１６】
このような構成においては、中空円筒構成部材間の位置決めが容易になり、また、割りピンの取り付けにより組み付けた状態を固定させることができるので、蛇登攀防止装置の取り付け作業を容易に行うことが可能となる。
【００１７】
このような２分割構造においては、中空円筒部材を、前記柱状立設体との間に水抜き穴が形成される第１の中空円筒構成部材と、前記柱状立設体との間に接地線挿通穴が形成される第２の中空円筒構成部材との中から選択された２つの中空円筒部材を組み合わせて形成するとよい。例えば、第１の中空円筒構成部材と第２の中空円筒構成部材を１つずつ選択してこれらを組み合わせることで、水抜き穴と接地線挿通穴との両方を有する中空円筒部材を構成するようにしても、また、接地線がない柱状立設体の場合であれば、第１の中空円筒構成部材を２つ選択して、これらを組み合わせることで、２つの水抜き穴を有する中空円筒部材を構成するようにしてもよい。
【００１８】
また、中空円筒部材の上端部においては、中空円筒構成部材の内面と柱状立設体の外面との隙間に楔を嵌合させることが好ましい。このような構成においては、楔を中空円筒構成部材の内面と柱状立設体の外面との隙間に嵌挿させることで、柱状立設体の所定位置に取り付けられた中空円筒部材が下方からの力で上方へ移動してしまう不都合を回避することが可能となり、また、中空円筒部材の軸心を柱状立設体の軸心と一致させることができ（中空円筒部材が柱状立設体に偏って設けられることがなくなる）と共に、強固な取り付け状態を確保することが可能となる。
【００１９】
尚、中空円筒構成部材の外面の適所に設けられる蛇登攀妨害突起は、直径０．５〜１ｍｍの半球状の突起を、隣り合う突起との間隔を１ｍｍ程度として前記中空円筒構成部材の外面全体に設けるようにすることが蛇の登攀を防止する上で効果的である。また、中空円筒部材の柱状立設体への取り付け位置は、足場ボルト等がない地表面から１．８ｍの範囲にするとよい。
【発明の効果】
【００２０】
以上述べたように、本発明に係る蛇登攀防止装置によれば、柱状立設体の周囲に付設されると共に、上方に向かうにつれて柱状立設体の軸心からの距離が長くなり、垂線が水平に対して下方に傾斜する円錐テーパを備えた複数の中空円筒構成部材を着脱自在に組み付けて構成された中空円筒部材で構成し、この中空円筒構成部材の外面の適所に蛇の登攀を妨害する蛇登攀妨害突起を設けたので、物理的な構造のみで複数の登攀防止機能を持たせて、蛇の柱状立設体の登攀を効果的に防止することができ、粘着物や忌避剤が不要になるため、耐久性や永続性に優れたものとなる。また、複数の中空円筒構成部材が着脱自在に組み付けられるだけで、ネットも不要となるので、柱状立設体への設置作業を容易に行うことが可能となる。
【００２１】
また、中空円筒構成部材の内面は、柱状立設体の軸方向の下側半分において柱状立設体と同一のテーパ面に形成され、上側半分において鉛直に形成されているので、柱状立設体への取り付け作業が容易になると共に、下側半分のテーパ面が柱状立設体の側面に密着した状態で固定されることになり、ガタつきが無くなり、柱状立設体に対して強固に固定させることが可能となる。
【００２２】
さらに、中空円筒構成部材を、中空円筒部材を柱状立設体の軸方向に沿って複数分割したものとし、隣り合う中空円筒構成部材のそれぞれの分割面を、一方の柱状立設体の分割面が他方の柱状立設体の分割面と互いに噛み合う凹凸形状とし、噛み合わせた部分がそれぞれの中空円筒構成部材の分割面を過る上下方向に延びる割りピンにより固定される構成とすれば、中空円筒構成部材同士の位置決めが容易になり、また、割りピンの取り付けにより組み付け状態が固定されるので、蛇登攀防止装置の取り付け作業を容易に行うことが可能となる。
【００２３】
例えば、中空円筒部材を２つの中空円筒構成部材で構成する場合においては、柱状立設体との間に水抜き穴が形成される第１の中空円筒構成部材と、柱状立設体との間に接地線挿通穴が形成される第２の中空円筒構成部材との中から選択された２つの中空円筒部材（第１の中空円筒構成部材と第２の中空円筒構成部材、又は、２つの第１の中空円筒構成部材）を組み合わせて形成すれば、各種柱状立設体に対応することが可能となる。
【００２４】
また、中空円筒部材の上端部において、中空円筒構成部材の内面と柱状立設体の外面との隙間に楔を嵌合させる構成とすれば、中空円筒部材が上方へ移動する不都合を回避することが可能となり、また、中空円筒部材の軸心を柱状立設体の軸心に合わせることができ、また、取り付け状態を強固にすることが可能となる。
【図面の簡単な説明】
【００２５】
【図１】図１は、本発明に係る蛇登攀防止装置を電柱に取り付けた状態を示す斜視図である。
【図２】図２は、本発明に係る蛇登攀防止装置を電柱に取り付けた状態を示す側面図であり、（ａ）は分割面を正面とする箇所から見た図であり、（ｂ）は（ａ）から９０度周方向に移動した箇所から見た図である。
【図３】図３は、蛇登攀防止装置の中空円筒部材を構成する中空円筒構成部材を示す斜視図であり、（ａ）は水抜き穴を構成する水抜き穴用溝が形成された第１の中空円筒構成部材を示す斜視図、（ｂ）は接地線挿通穴を構成する接地線挿通穴用溝が形成された第２の中空円筒構成部材を示す斜視図である。
【図４】図４は、電柱に取り付けられた蛇登攀防止装置を上方から見た図である。
【図５】図５は、蛇登攀防止装置を構成する中空円筒構成部材の固定に用いる割ピンを示す図であり、割ピンを割った状態の（ａ）はその正面図、（ｂ）はその側面図である。
【図６】図６は、蛇登攀防止装置を構成する中空円筒部材を固定する楔を示す図であり、（ａ）はその平面図、（ｂ）はその正面図、（ｃ）はその側面図である。
【図７】図７は、中空円筒部材の表面に設けられた蛇登攀妨害突起を示す図であり、（ａ）はその平面図、（ｂ）はその側面図である。
【図８】図８は、電柱に取り付けられる態様を示す図であり、（ａ）は第１の中空円筒構成部材と第２の中空円筒構成部材を組み合わせた例を示す図であり、（ｂ）は２つの第１の中空円筒構成部材を組み合わせた例を示す図である。
【図９】図９は、蛇の登攀運動を示す表である。
【発明を実施するための形態】
【００２６】
以下、本発明に係る蛇登攀防止装置の実施形態を添付図面を参照しながら説明する。この例では、柱状立設体として、送電線や配電線の電柱を例とし、蛇としては、体長２ｍ、立ち上がる能力を体長の３／４（１．５ｍ）とした場合を想定する。
【００２７】
図１及び図２において、蛇登攀防止装置１は、電柱２の側面に付設された中空円筒部材３によって構成されている。
【００２８】
この中空円筒部材３は、図３及び図４にも示されるように、電柱２の所定の高さ位置において、全周に亘って設けられているもので、上方に向かうにつれて電柱２の軸心Ｇからの距離が長くなり、垂線が水平に対して下方に傾斜する円錐テーパ４を備えた複数の中空円筒構成部材５を組み合わせて構成されている。
【００２９】
この例において、中空円筒構成部材５は、中空円筒部材３を電柱２の軸方向に沿って２分割したものが用いられ、上下方向の長さを約１．２ｍとし、円錐テーパ４の傾斜角を電柱２のテーパに合わせて、外側へ同程度の逆テーパが形成されるように設定されている。たとえば、１／７５のテーパを有する電柱２の場合であれば、外側へ１／７５で張り出すように円錐テーパ４が形成されている。
【００３０】
一方の中空円筒構成部材５は、電柱２との間に水抜き穴６が形成された第１の中空円筒構成部材５ａが用いられ、他方の中空円筒構成部材５は、柱状立設体との間に接地線挿通穴７が形成される第２の中空円筒構成部材５ｂが用いられている。
【００３１】
それぞれの中空円筒構成部材５は、一方の分割面が他方の分割面と互いに噛み合う凹凸形状に形成されているもので、一方の分割面は３つの凸部８と隣り合う凸部間に形成された凹部９とによって構成され、他方の分割面は３つの凹部９と隣合う凹部間に形成された凸部８とによって構成され、一方の分割面の凸部８を他方の分割面の凹部９に嵌合可能となっており、第１の中空円筒構成部材５ａの内面中央部には、水抜き穴６を構成する通路断面が相対的に小さく形成された軸方向に延びる溝１０が形成され、第２の中空円筒構成部材５ｂの内面中央部には、接地線挿通穴７を構成する通路断面が相対的に大きく形成された軸方向に延びる溝１１が形成されている。
また、それぞれの凸部８には、図５に示されるような割ピン１４を挿入するためのピン挿通孔１５が形成されている。この割ピン１４は、中空円筒部材３の軸方向の長さに略等しい長さに形成され、上端部が中空円筒部材３の上面に係止されるように屈曲されており、例えば、黄銅等によって構成されている。
【００３２】
これら中空円筒構成部材５は、互いの分割面を合わせるように組付けられると、対向する凸部８と凹部９とが噛み合い、また、それぞれの凸部８に形成されたピン挿通孔１５が中空円筒部材３の軸方向で整合し、このピン挿通孔１５に割ピン１４を挿通させて組み付け状態を固定できるようになっている。
【００３３】
また、それぞれの中空円筒構成部材５（５ａ，５ｂ）の内面には、軸方向の下側半分の部分が電柱２と同一のテーパ角を有するテーパ面１６に形成され、上側半分の部分が鉛直となる鉛直面１７に形成されている。したがって、２つの中空円筒構成部材５ａ，５ｂを組み合わせて電柱２の周面に取り付けられた状態においては、中空円筒構成部材５ａ，５ｂの内面に形成されているテーパ面１６は電柱２の外周面に密接し、中空円筒部材３がそれより下方へずれ落ちないようになっており、また、中空円筒構成部材５ａ，５ｂの内面に形成されている鉛直面１７は、上にいくほど電柱２の外面から離れ、この鉛直面１７と電柱２の外面との間に隙間２１が形成されるようになっている。そして、この隙間２１の適所に中空円筒部材３の上端部から楔２２が嵌入されている。
【００３４】
この例では、中空円筒部材３は、地表面から足場ボルトのない約１．８ｍまでの範囲に取り付けられるよう内径が設定されており、また、楔２２は、隙間２１に略等間隔に２〜４つ取り付けられており、それぞれの楔２２は、図６に示されるように、電柱２の外周面に当接させる側面を電柱と同一のテーパ角を有するテーパ面２２ａに形成し、中空円筒部材３の内面に当接させる側面を鉛直面２２ｂに形成し、着脱可能作業を容易にするために、上部に引抜用の楔引抜用穴２２ｃが形成されている。
【００３５】
さらに、それぞれの中空円筒構成部材５（５ａ，５ｂ）の外面には、図７に示されるように、蛇の登攀を妨害する蛇登攀妨害突起２０が設けられている。この蛇登攀妨害突起２０は、例えば、直径が０．５〜１ｍｍの半球状のもので（この例では１ｍｍ）、隣り合う突起間を１ｍｍ程度離して中空円筒構成部材５の外面全体に接着剤等で後付けすることにより、或いは中空円筒構成部材の成形時に予め一体成形することなどにより形成されている。
【００３６】
以上の構成において、蛇登攀防止装置１を電柱２に取り付けるには、まず、第１の中空円筒構成部材５ａと第２の中空円筒構成部材５ｂとを、図８（ａ）に示されるように、電柱２を挟み込むように両側からそれぞれの内面を内側にして嵌め付け、一方の中空円筒構成部材５の凹凸端面を他方の中空円筒構成部材５の凹凸端面に噛み合わせ、その状態で、整合されたピン挿通孔１５に割ピン１４を下方から挿入して上端まで押し込み、割ピン１４を割る。その後、２つの中空円筒構成部材５によって形成された中空円筒部材３を重力に任せて移動できるところまで下方へ移動させ、それぞれの中空円筒構成部材５の内面の下側半分を電柱２の外周面に密接させる。
【００３７】
その後、それぞれの中空円筒構成部材５の上端部に形成された中空円筒構成部材５の内面と電柱２の外周面との隙間２１に、約９０度の間隔を開けて、周方向の４箇所で楔２２をその鉛直面が中空円筒構成部材５の鉛直面と接触するように圧入すれは、蛇登攀防止装置１の設置は完了する。
【００３８】
したがって、上述のように設置された蛇登攀防止装置１によれば、中空円筒構成部材５の外面に形成される円錐テーパ４はその垂線が水平に対して下方に傾斜するように設けられているので、図９の（１）に対する対策が講じられており、蛇の登攀を防止することが可能となる。また、中空円筒構成部材５の外表面には、その全面に蛇の登攀を妨害する蛇登攀妨害突起２０が適所に適切な間隔で形成されているので、図９の（４）および（６）に対する対策が講じられており、この点においても、蛇の登攀を防止することが可能となる。
【００３９】
このため、上述のような物理的な構造による登攀防止機能により蛇の登攀を防止することが可能となるので、仮に、いずれかの登攀防止機能が不十分であっても、残りの登攀防止機能により蛇の登攀を確実に防止することが可能となる。
【００４０】
また、上述の構成においては、２つの中空円筒構成部材５ａ，６ｂを組み合わせ、割ピン１４を分割面を過るようにピン挿通孔１５に挿通させることで組み付け状態を固定して中空円筒部材３を構成するようにしているので、蛇登攀防止装置１の電柱２への装着作業を簡易に行うことが可能となり、短時間で設置作業を完了させることが可能となる。
【００４１】
以上の構成においては、接地線が設けられている電柱２に蛇登攀防止装置１を取り付ける例を示したが、接地線が設けられていない電柱においては、図３（a)で示す第１の中空円筒構成部材５ａを２つ用いて、図８（ｂ）に示されるように、電柱２をこれら中空円筒構成部材５ａで挟んで最中合わせ状に組み付けるようにしてもよい。
このような構成においては、水抜き穴６が電柱２の軸に対して対称位置に２箇所設けられるので、中空円筒部材３と電柱２との間に水をいっそう溜まりにくくすることが可能となる。
【００４２】
尚、上記構成例においては、中空円筒部材３を２つの中空円筒構成部材５によって構成した例を示したが、３つ以上の中空円筒構成部材によって構成するようにしてもよい。また、上述の例では、中空円筒構成部材５を割ピン１４をピン挿通孔１５に差し込んで連結させる構成を示したが、凸部とこれに噛合する凹部の噛み合い形状を工夫して割ピンを用いなくても組み付け状態を固定できるようにしてもよい。
さらに中空円筒構成部材５の円錐テーパ４は、電柱２の径方向に大きく突出させないようにするために、僅かな傾斜角を有する逆テーパとすることが好ましいが、傾斜角は適宜変更してもよい。
【符号の説明】
【００４３】
１  蛇登攀防止装置
２  電柱
３  中空円筒部材
４  円錐テーパ
５  中空円筒構成部材
６  水抜き穴
７  接地線挿通穴
８  凸部
９  凹部
１６  テーパ面
２０  蛇登攀妨害突起
２１  隙間
２２  楔  
【図１】
0005496685.tif 000002
【図２】
0005496685.tif 000003
【図３】
0005496685.tif 000004
【図４】
0005496685.tif 000005
【図５】
0005496685.tif 000006
【図６】
0005496685.tif 000007
【図７】
0005496685.tif 000008
【図８】
0005496685.tif 000009
【図９】
0005496685.tif 000010